(57)【要約】【課題】建具を収納でき、かつ、部屋内の空間を有効に利用することのできる柱型状壁体及び建物を提供する。【解決手段】部屋（例えば、リビングダイニング１）の床面８aと天井面８bとの間に設置された柱型状壁体５０は、本体部５１と、本体部５１の側面に設けられて、建具（例えば、引き戸１７）を収納する戸袋５２と、本体部５１の前面に設けられて、部屋１の中央に臨むように開口し、収納物を収納可能な収納部５３と、を備える。【選択図】図３
2010090560.tif 000002
【特許請求の範囲】
【請求項１】
部屋の床面と天井面との間に設置された柱型状壁体であって、
本体部と、
前記本体部の側面に設けられて、建具を収納する戸袋と、
前記本体部の前面に設けられて、前記部屋の中央に臨むように開口し、収納物を収納可能な収納部と、を備えていることを特徴とする柱型状壁体。
【請求項２】
請求項１に記載の柱型状壁体において、
前記本体部の側面に、前記収納部に連通する連通穴が形成されていることを特徴とする柱型状壁体。
【請求項３】
請求項２に記載の柱型状壁体において、
前記連通穴には、該連通穴を塞ぐ蓋部が設けられていることを特徴とする柱型状壁体。
【請求項４】
請求項１〜３のいずれか一項に記載の柱型状壁体において、
前記収納物は、電気機器のモニターを含むことを特徴とする柱型状壁体。
【請求項５】
請求項１〜４のいずれか一項に記載の柱型状壁体を備えたことを特徴とする建物。
【発明の詳細な説明】
【技術分野】
【０００１】
本発明は、部屋の床面と天井面との間に設置された柱型状壁体及びそれを備えた建物に関する。
【背景技術】
【０００２】
隣接する部屋同士の間、あるいは部屋と廊下との間に設けられる間仕切りとして、開き戸、回転戸あるいは引き戸等の建具が使用されている。このような建具のうち引き戸は、敷居の上にレールを設け、そこを滑らせて使用する形態が多く用いられている。そして、例えば全部を開放したい場合には、いわゆる戸袋を設けて、引き戸を戸袋の内部に収納している（例えば、特許文献１参照）。
【特許文献１】特開平８−３０３１４６号公報
【発明の開示】
【発明が解決しようとする課題】
【０００３】
ところで、テレビやパソコン等を部屋内に設置する場合には、通常、テレビボードやパソコンラック等を使用している。しかしながら、これらテレビボードやパソコンラック等はスペースを多く必要とするため、これらを使用せずに部屋内の空間を有効に利用することが臨まれている。また、テレビやパソコン等の配線が部屋内に露出することによって見栄えが悪くなるという問題がある。
本発明は、上記事情に鑑みてなされたもので、建具を収納でき、かつ、部屋内の空間を有効に利用することができる柱型状壁体及び建物を提供することを目的としている。
【課題を解決するための手段】
【０００４】
上記課題を解決するため、請求項１の発明は、例えば、図１〜４に示すように、部屋（例えば、リビングダイニング１）の床面８aと天井面８bとの間に設置された柱型状壁体５０であって、
本体部５１と、
前記本体部５１の側面に設けられて、建具（例えば、引き戸１７）を収納する戸袋５２と、
前記本体部５１の前面に設けられて、前記部屋１の中央に臨むように開口し、収納物を収納可能な収納部５３と、を備えていることを特徴とする。
【０００５】
請求項１の発明によれば、本体部５１と、戸袋５２と、収納部５３とを備えるので、戸袋５２内に建具１７を収納することによって建具１７を開放することができるとともに、収納部５３に収納物を収納することができる。そのため、部屋１の空間を有効利用することができる。特に、収納部５３は部屋１の中央に臨むように開口していることから、テレビやパソコンのモニター２０１，２０２等を収納することができ、部屋１内の様々な位置からテレビ等の鑑賞をすることができる。さらに、テレビやパソコン等の配線が部屋内に露出するのを防ぐことができ、外観にも優れる。
【０００６】
請求項２の発明は、例えば、図２〜図４に示すように、請求項１に記載の柱型状壁体５０において、
前記本体部５１の側面に、前記収納部５３に連通する連通穴５４が形成されていることを特徴とする。
【０００７】
請求項２の発明によれば、本体部５１の側面に収納部５３に連通する連通穴５４が形成されているので、この連通穴５４を介して収納部５３に収納物を収納することができる。また、例えば、収納物がテレビやパソコン等である場合には、その配線作業を容易に行うことができる。
【０００８】
請求項３の発明は、例えば、図２〜図４に示すように、請求項２に記載の柱型状壁体５０において、
前記連通穴５４には、該連通穴５４を塞ぐ蓋部５５が設けられていることを特徴とする。
【０００９】
請求項３の発明によれば、連通穴５４には、該連通穴５４を塞ぐ蓋部５５が設けられているので、収納物の収納や配線作業等を行わない場合には蓋部５５によって連通穴５４を塞ぐことができる。したがって、本体部５１の側面から収納物が見えないので、外観上好ましい。
【００１０】
請求項４の発明は、例えば、図３に示すように、請求項１〜３のいずれか一項に記載の柱型状壁体５０において、
前記収納物は、電気機器のモニター２０１を含むことを特徴とする。
【００１１】
請求項４の発明によれば、収納物は電気機器のモニター２０１を含むので、別途、電気機器のモニター２０１を配置するためのスペースを部屋１内に確保する必要がなくなり、部屋１内の空間を有効利用することができる。また、部屋１内の様々な位置からテレビ等の鑑賞をすることができる。
【００１２】
請求項５の発明は、例えば、図１〜４に示すように、建物１００において、
請求項１〜４のいずれか一項に記載の柱型状壁体５０を備えたことを特徴とする。
【００１３】
請求項５の発明によれば、柱型状壁体５０を備えた建物１００であるので、柱型状壁体５０の戸袋５２内に建具１７を収納することによって建具１７を開放することができるとともに、収納部５３に収納物を収納することができる。そのため、部屋１の空間を有効利用することができる。特に、収納部５３は部屋１の中央に臨むように開口していることから、テレビやパソコンのモニター２０１，２０２等を収納することができ、部屋１内の様々な位置からテレビ等の鑑賞をすることができる。
【発明の効果】
【００１４】
本発明によれば、建具を収納でき、かつ、部屋内の空間を有効に利用することができる。
【発明を実施するための最良の形態】
【００１５】
以下、図面を参照して本発明の実施の形態について説明する。
図１は、本発明に係る建物の縦断面図、図２は、建物の１階の平面図である。
建物１００の１階のリビングダイニング１の東側に玄関３が配置されている。玄関３の玄関土間４には、北側に向けて延在する土間廊下５が配置されている。土間廊下５の北側の端部には、ホール６が隣接配置されており、ホール６に収納空間７への出入口７aが面している。収納空間７は、１階床８の一部の上方に設けられた中間床２１と、１階床８との間に形成されている。
また、リビングダイニング１の西側には、キッチン１０が配置されている。キッチン１０の北側には洗面室１１と浴室１２が配置されている。浴室１２の東側にはトイレ１３が配置されている。トイレ１３を形成する内壁と収納空間７を形成する内壁との間に、１階床８から中間床２１に至る階段１４が配置されている。
なお、中間床２１の上方は中間部屋２２となっており、この中間部屋２２への出入り口は、階段１４から繋がる踊り場（図示しない）に面して設けられている。また、中間部屋２２の天井２３は２階床３１より高くなっている。中間部屋２２の天井２３は、１階床８の上方側に向けて水平に延出しており、この延出天井２３aと１階床８との間に吹抜け空間２４が設けられている。つまり、１階床８から延出天井２３aまで吹き抜ける吹抜け空間２４が設けられており、この吹抜け空間２４は中間部屋２２に壁がない状態で面している。
【００１６】
吹抜け空間２４の上部には、収納部２５が延出天井２３aから垂下して設けられている。収納部２５の開口部２５aは中間部屋２２側に向いている。
また、吹抜け空間２４の上部は２階の内壁に面しており、この２階の内壁に収納部２５が隣接している。
さらに、２階床３１と２階の踊り場（図示しない）との間には２．５階の部屋４１に繋がる階段（図示しない）が設けられている。
【００１７】
図３は、リビングダイニングを示した斜視図、図４は、柱型状壁体の外観斜視図である。
リビングダイニング１の南側には、玄関ポーチ１５に隣接してサンルーム１６が配置されている（図２参照）。リビングダイニング１とサンルーム１６とは、引き戸１７によって間仕切りされている。サンルーム１６の南側壁面１００aには窓１８aが設けられており、リビングダイニング１の南側壁面１００bにも窓１８bが設けられている。サンルーム１６は、リビングダイニング１の南側壁面１００bよりも南側に突出して配置されている。
引き戸１７は、開放時には、リビングダイニング１の南側壁面１００bに設けられた戸袋２２を有する柱型状壁体５０内に引き込まれるようになっている。また、引き戸１７の閉鎖時には、リビングダイニング１とサンルーム１６とを間仕切るようになっている。
【００１８】
柱型状壁体５０は、１階の床面８aと１階の天井面８bとの間に設置されている。柱型状壁体５０は、上下に延在する矩形箱状の本体部５１と、本体部５１に設けられて、その内部に引き戸１７を引き込んで収納する戸袋５２と、本体部５１に設けられて、リビングダイニング１の中央に臨むように開口して収納物を収納する収納部５３と、を備えている。
【００１９】
戸袋５２は、本体部５１の側面から内部にかけて開口して形成されている。戸袋５２は、本実施形態では４枚の引き戸１７が引き込まれて収納されるようになっている。
収納部５３は、本体部５１の前面から内部にかけて開口して形成されている。図３では、３つの収納部５３が形成されており、最上段の収納部５３は物置として使用することができ、中段の収納部５３にはテレビのモニター２０１、配線（図示しない）等が収納されている。また、下段の収納部２３にはパソコンラックが設けられており、パソコンのモニター２０２、キーボード２０３、配線（図示しない）等が収納されている。なお、収納部５３と戸袋５２との間は、貫通していても良いが、収納部５３と戸袋５２との間に仕切り５８を設けて、収納部５３と戸袋５２とを仕切ることが好ましい。仕切り５８を設けることによって、収納部５３に収納物を収納していない場合で引き戸１７を戸袋５２内に引き込んだ際に、収納部５３を介して引き戸１７が室内側から見えることがない。
【００２０】
本体部５１の側面には、収納部５３に連通する連通穴５４が上下に二カ所形成されている。上方の連通穴５４は、最上段の収納部５３及び中段の収納部５３に連通しており、下方の連通穴５４は、最下段の収納部５３に連通している。これら連通穴５４は、各収納部５３に収納物を収納する際に使用したり、配線作業を行う際に使用することができる。また、連通穴５４には、連通穴５４を塞ぐ蓋部５５が設けられている。蓋部５５は、ヒンジ（図示しない）等で開閉可能な扉状となっていても良いし、嵌め込み式となっていても良い。また、蓋部５５には、手を掛ける凹部５６や取っ手等が形成されている。
また、本体部５１の表面には木目模様（図示しない）が施されている。
【００２１】
リビングダイニング１を形成する南側壁面１００bの上端部で、天井面８bより下方の位置には、その壁面１００bからリビングダイニング１側に突出する水平板１９が設けられている。水平板１９は、キッチン１０を形成する西側壁面１００cからリビングダイニング１を形成する東側壁面１００dに向けて架け渡されている。水平板１９の一端部は、西側壁面１００c又は東側壁面１００dに当接し、他端部は、柱型状壁体５０の側面に当接している。なお、水平板１９の他端部は、柱型状壁体５０の側面に形成した凹部に嵌め込まれるように構成しても良い。
このような水平板１９の下面のうち、引き戸１７が配置される部分には、引き戸１７の上端部が嵌め込まれるレール部５７aが形成されている。詳細には、水平板１９のうち、柱型状壁体５０とリビングダイニング１の東側壁面１００dとの間の部分である。
そして、水平板１９の上面と天井面８bとの間に設けられた空間８cには、間接照明（図示しない）が配置されている。間接照明以外にも、置物を載置しても良いし、収納棚として利用しても良い。
【００２２】
以上、本発明の実施の形態の柱型状壁体１によれば、本体部５１と、戸袋５２と、収納部５３とを備えるので、戸袋５２内に建具１７を収納することによって建具１７を開放することができるとともに、収納部５３に収納物を収納することができる。そのため、部屋１の空間を有効利用することができる。特に、収納部５３は部屋１の中央に臨むように開口していることから、テレビやパソコンのモニター２０１，２０２等を収納することができ、部屋１内の様々な位置からテレビ等の鑑賞をすることができる。
また、本体部５１の側面に収納部５３に連通する連通穴５４が形成されているので、この連通穴５４を介して収納部５３に収納物を収納することができる。また、例えば、収納物がテレビやパソコン等である場合には、その配線作業を容易に行うことができる。
連通穴５４には、該連通穴５４を塞ぐ蓋部５５が設けられているので、収納物の収納や配線作業等を行わない場合には蓋部５５によって連通穴５４を塞ぐことができる。したがって、本体部５１の側面から収納物が見えないので、外観上好ましい。
【００２３】
なお、本発明は上記実施の形態に限定されるものではなく、その要旨を逸脱しない範囲で適宜変更可能である。
例えば、上記実施の形態では、戸袋５２内には引き戸１７が収納されるとしたが、引き戸１７に限らず開き戸等であっても構わない。
【図面の簡単な説明】
【００２４】
【図１】建物の縦断面図である。
【図２】建物の１階の平面図である。
【図３】リビングダイニングを示した斜視図である。
【図４】柱型状壁体の外観斜視図である。
【符号の説明】
【００２５】
１  リビングダイニング（部屋）
８a  床面
８b  天井面
１７  引き戸
５０  柱型状壁体
５１  本体部
５２  戸袋
５３  収納部
５４  連通穴
５５  蓋部
１００  建物
２０１  モニター
【図１】
2010090560.tif 000003
【図２】
2010090560.tif 000004
【図３】
2010090560.tif 000005
【図４】
2010090560.tif 000006